(57)【要約】【課題】情報を効率よく入手することのできる技術を提供する。【解決手段】情報収集装置１は、顧客端末３から受信した調査リクエストに対して、調査対象製品の構成部品に関する情報が自身に登録されているか否かを調べる。登録されている場合は、当該登録されている情報を、当該調査リクエストに対する調査報告情報として、顧客端末３に送信する。一方、登録されていない場合は、調査リクエストをバッチで処理するために、当該調査リクエストを蓄積する。そして、蓄積した調査リクエストを製品の構成部品毎に分類・集約し、構成部品毎にバッチ調査リクエストを生成する。それから、各バッチ調査リクエストを対象構成部品のベンダ装置２に送信し、当該構成部品に関する情報を入手する。次に、調査リクエストで指定されている製品の各構成部品に関する情報を、当該調査リクエストに対する調査報告情報として、顧客端末２に送信する。【選択図】図１
2007108985.tif 000002
【特許請求の範囲】
【請求項１】
調査対象製品の指定を含む調査リクエストに従い、当該製品に関する情報を出力する情報収集装置であって、
製品のＢＯＭデータを記憶するＢＯＭデータ記憶手段と、
部品に関する情報を記憶する部品情報記憶手段と、
部品に関する情報を入手するためのバッチ調査リクエストを記憶するバッチ調査リクエスト記憶手段と、
調査リクエストで指定されている製品に関する情報を当該調査リクエストに対する調査報告情報として記憶する調査報告情報記憶手段と、
入力された調査リクエストを処理する調査リクエスト処理手段と、
前記バッチ調査リクエスト記憶手段に記憶されているバッチ調査リクエストを処理するバッチ調査リクエスト処理手段と、を有し、
前記調査リクエスト処理手段は、
前記ＢＯＭデータ記憶手段に記憶されているＢＯＭデータを用いて、前記入力された調査リクエストで指定されている製品を構成部品に部品展開する手段と、
部品展開された各構成部品について、前記部品情報記憶手段に当該構成部品に関する情報が記憶されているか否かを調べ、記憶されている場合は当該構成部品に関する情報を、前記調査報告情報記憶手段に記憶されている、前記入力された調査リクエストに対する調査報告情報に含める手段と、
部品展開された各構成部品のうち、前記部品情報記憶手段に構成部品に関する情報が記憶されていない構成部品各々について、当該構成部品の指定を含むバッチ調査リクエストが前記バッチ調査リクエスト記憶手段に登録されているか否かを調べ、登録されていない場合は当該バッチ調査リクエストを前記入力された調査リクエストに対応付けて前記バッチ調査リクエスト記憶手段に登録し、一方、登録されている場合は当該バッチ調査リクエストに前記入力された調査リクエストを新たに対応付ける手段と、
前記入力された調査リクエストについて、部品展開された各構成部品に関する情報が、前記調査報告情報記憶手段に記憶されている、当該調査リクエストに対する調査報告情報に含まれている場合に、当該調査報告情報を出力する手段と、を有し、
前記バッチ調査リクエスト処理手段は、
前記バッチ調査リクエスト記憶手段に記憶されているバッチ調査リクエストを、部品に関する情報の問合せ先に送信して、当該問合せ先から当該バッチ調査リクエストで指定されている構成部品に関する情報を入手する手段と、
入手した構成部品に関する情報を、前記調査報告情報記憶手段に記憶されている、当該バッチ調査リクエストに対応付けられている調査リクエスト各々に対する調査報告情報に含める手段と、
当該バッチ調査リクエストに対応付けられている調査リクエスト各々について、前記ＢＯＭデータ記憶手段に記憶されているＢＯＭデータを用いて当該調査リクエストで指定されている製品から部品展開された各構成部品に関する情報が、前記調査報告情報記憶手段に記憶されている、当該調査リクエストに対する調査報告情報に含まれている場合に、当該調査報告情報を出力する手段と、を有すること
を特徴とする情報収集装置。
【請求項２】
請求項１に記載の情報収集装置であって、
部品に関する情報の問合せ先を記憶するベンダ情報記憶手段をさらに有し、
前記調査リクエスト処理手段の前記対応付ける手段は、
部品展開された各構成部品のうち、前記部品情報記憶手段に構成部品に関する情報が記憶されていない構成部品各々について、前記ベンダ情報記憶手段に記憶されている当該構成部品に関する情報の問合せ先を宛先とする、当該構成部品の指定を含むバッチ調査リクエストが、前記バッチ調査リクエスト記憶手段に登録されているか否かを調べ、登録されていない場合は当該バッチ調査リクエストを前記入力された調査リクエストに対応付けて前記バッチ調査リクエスト記憶手段に登録し、一方、登録されている場合は当該バッチ調査リクエストに前記入力された調査リクエストを新たに対応付け、
前記バッチ調査リクエスト処理手段の前記入手する手段は、
前記バッチ調査リクエスト記憶手段に記憶されているバッチ調査リクエストを当該バッチ調査リクエストで指定されている問合せ先に送信して、当該問合せ先から当該バッチ調査リクエストで指定されている構成部品に関する情報を入手すること
を特徴とする情報収集装置。
【請求項３】
請求項１又は２に記載の情報収集装置であって、
前記バッチ調査リクエスト処理手段の前記入手する手段は、
前記バッチ調査リクエスト記憶手段に記憶されているバッチ調査リクエストのうち、前記バッチ調査リクエスト記憶手段に記憶されてから所定時間を経過したバッチ調査リクエスト、あるいは、対応付けられている調査リクエスト数が所定数以上のバッチ調査リクエストを送信して、当該バッチ調査リクエストで指定されている構成部品に関する情報を入手すること
を特徴とする情報収集装置。
【請求項４】
請求項１乃至３のいずれか一項に記載の情報収集装置であって、
前記バッチ調査リクエスト処理手段は、
前記バッチ調査リクエスト処理手段の前記入手する手段が入手した構成部品に関する情報と、前記部品情報記憶手段に記憶されている当該構成部品と同種の部品に関する情報とを比較して、当該構成部品に関する情報の確からしさを検査する手段をさらに有し、
前記バッチ調査リクエスト処理手段の前記含める手段は、
入手した構成部品に関する情報のうち、前記バッチ調査リクエスト処理手段の前記検査手段で確からしさが確認された情報を、前記調査報告情報記憶手段に記憶されている、当該バッチ調査リクエストに対応付けられている調査リクエスト各々に対する調査報告情報に含めること
を特徴とする情報収集装置。
【請求項５】
請求項１乃至４のいずれか一項に記載の情報収集装置であって、
前記バッチ調査リクエスト処理手段は、
前記バッチ調査リクエスト記憶手段に記憶されているバッチ調査リクエストに対応付けられている調査リクエスト数に応じて、当該バッチ調査リクエストで指定されている構成部品に関する情報の提供料金を決定する手段をさらに有すること
を特徴とする情報収集装置。
【請求項６】
コンピュータで読取り可能なプログラムであって、
前記プログラムは、前記コンピュータを、
製品のＢＯＭデータを記憶するＢＯＭデータ記憶手段、
部品に関する情報を記憶する部品情報記憶手段、
部品に関する情報を入手するためのバッチ調査リクエストを記憶するバッチ調査リクエスト記憶手段、
製品の指定を含む調査リクエストで指定されている製品に関する情報を当該調査リクエストに対する調査報告情報として記憶する調査報告情報記憶手段、
入力された調査リクエストを処理する調査リクエスト処理手段、および、
前記バッチ調査リクエスト記憶手段に記憶されているバッチ調査リクエストを処理するバッチ調査リクエスト処理手段、として機能させ、
前記調査リクエスト処理手段は、
前記ＢＯＭデータ記憶手段に記憶されているＢＯＭデータを用いて、前記入力された調査リクエストで指定されている製品を構成部品に部品展開する手段と、
部品展開された各構成部品について、前記部品情報記憶手段に当該構成部品に関する情報が記憶されているか否かを調べ、記憶されている場合は当該構成部品に関する情報を、前記調査報告情報記憶手段に記憶されている、前記入力された調査リクエストに対する調査報告情報に含める手段と、
部品展開された各構成部品のうち、前記部品情報記憶手段に構成部品に関する情報が記憶されていない構成部品各々について、当該構成部品の指定を含むバッチ調査リクエストが前記バッチ調査リクエスト記憶手段に登録されているか否かを調べ、登録されていない場合は当該バッチ調査リクエストを前記入力された調査リクエストに対応付けて前記バッチ調査リクエスト記憶手段に登録し、一方、登録されている場合は当該バッチ調査リクエストに前記入力された調査リクエストを新たに対応付ける手段と、
前記入力された調査リクエストについて、部品展開された各構成部品に関する情報が、前記調査報告情報記憶手段に記憶されている、当該調査リクエストに対する調査報告情報に含まれている場合に、当該調査報告情報を出力する手段と、を有し、
前記バッチ調査リクエスト処理手段は、
前記バッチ調査リクエスト記憶手段に記憶されているバッチ調査リクエストを、部品に関する情報の問合せ先に送信して、当該問合せ先から当該バッチ調査リクエストで指定されている構成部品に関する情報を入手する手段と、
入手した構成部品に関する情報を、前記調査報告情報記憶手段に記憶されている、当該バッチ調査リクエストに対応付けられている調査リクエスト各々に対する調査報告情報に含める手段と、
当該バッチ調査リクエストに対応付けられている調査リクエスト各々について、前記ＢＯＭデータ記憶手段に記憶されているＢＯＭデータを用いて当該調査リクエストで指定されている製品から部品展開された各構成部品に関する情報が、前記調査報告情報記憶手段に記憶されている、当該調査リクエストに対する調査報告情報に含まれている場合に、当該調査報告情報を出力する手段と、を有すること
を特徴とするコンピュータで読取り可能なプログラム。
【請求項７】
情報収集装置が、調査対象製品の指定を含む調査リクエストに従い、当該製品に関する情報を出力する情報収集方法であって、
前記情報収集装置は、
製品のＢＯＭデータを記憶するＢＯＭデータ記憶手段と、
部品に関する情報を記憶する部品情報記憶手段と、
部品に関する情報を入手するためのバッチ調査リクエストを記憶するバッチ調査リクエスト記憶手段と、
調査リクエストで指定されている製品に関する情報を当該調査リクエストに対する調査報告情報として記憶する調査報告情報記憶手段と、
入力された調査リクエストを処理する調査リクエスト処理手段と、
前記バッチ調査リクエスト記憶手段に記憶されているバッチ調査リクエストを処理するバッチ調査リクエスト処理手段と、を有し、
前記調査リクエスト処理手段が、
前記ＢＯＭデータ記憶手段に記憶されているＢＯＭデータを用いて、前記入力された調査リクエストで指定されている製品を構成部品に部品展開するステップと、
部品展開された各構成部品について、前記部品情報記憶手段に当該構成部品に関する情報が記憶されているか否かを調べ、記憶されている場合は当該構成部品に関する情報を、前記調査報告情報記憶手段に記憶されている、前記入力された調査リクエストに対する調査報告情報に含めるステップと、
部品展開された各構成部品のうち、前記部品情報記憶手段に構成部品に関する情報が記憶されていない構成部品各々について、当該構成部品の指定を含むバッチ調査リクエストが前記バッチ調査リクエスト記憶手段に登録されているか否かを調べ、登録されていない場合は当該バッチ調査リクエストを前記入力された調査リクエストに対応付けて前記バッチ調査リクエスト記憶手段に登録し、一方、登録されている場合は当該バッチ調査リクエストに前記入力された調査リクエストを新たに対応付けるステップと、
前記入力された調査リクエストについて、部品展開された各構成部品に関する情報が、前記調査報告情報記憶手段に記憶されている、当該調査リクエストに対する調査報告情報に含まれている場合に、当該調査報告情報を出力するステップと、を行い、
前記バッチ調査リクエスト処理手段が、
前記バッチ調査リクエスト記憶手段に記憶されているバッチ調査リクエストを、部品に関する情報の問合せ先に送信して、当該問合せ先から当該バッチ調査リクエストで指定されている構成部品に関する情報を入手するステップと、
入手した構成部品に関する情報を、前記調査報告情報記憶手段に記憶されている、当該バッチ調査リクエストに対応付けられている調査リクエスト各々に対する調査報告情報に含めるステップと、
当該バッチ調査リクエストに対応付けられている調査リクエスト各々について、前記ＢＯＭデータ記憶手段に記憶されているＢＯＭデータを用いて当該調査リクエストで指定されている製品から部品展開された各構成部品に関する情報が、前記調査報告情報記憶手段に記憶されている、当該調査リクエストに対する調査報告情報に含まれている場合に、当該調査報告情報を出力するステップと、を有すること
を特徴とする情報収集方法。
【発明の詳細な説明】
【技術分野】
【０００１】
本発明は、情報を収集する技術に関し、特に、部品に含まれる化学物質情報を収集する技術に関する。
【背景技術】
【０００２】
自動車に関するＥＵの規制としてＥＬＶ（End-of Life Vehicles）がある。ＥＬＶでは、自動車の部品に、鉛、水銀、６価クロム、カドミウムなどを使用することを原則禁止している。通常、自動車の部品点数は数万にも及ぶ。また、多くの部品サプライヤが自動車メーカに部品を提供している。したがって、自動車メーカが自動車を構成する部品の１つ１つについて、禁止物質が使われているか否かを調べることは容易でない。このため、ＩＭＤＳ（International Material System）が利用されている。ＩＭＤＳは、インターネットなどのネットワーク上に設けられたデータベースシステムである。部品サプライヤは、製品（自動車部品）の構成部品の材料、物質データをネットワークを介してＩＭＤＳに登録することができ、自動車メーカは、ＩＭＤＳに登録された内容を閲覧することで、自社製品に利用されている部品をチェックすることができる（非特許文献１）。
【０００３】
【非特許文献１】ＩＭＤＳ  CDS-SDS Standardisation April 2002  [平成１７年１０月１１日検索］  インターネット＜URL:http://www.hella.com/produktion/HellaCOM/WebSite/MiscContent/Download/Company/IMDS1.pd＞
【発明の開示】
【発明が解決しようとする課題】
【０００４】
さて、ＩＭＤＳのようなデータベースシステムを多くのユーザに利用してもらうためには、部品サプライヤにより多くの部品の情報を登録して貰うことが大切である。そのためには、閲覧したい製品の構成部品の情報がデータベースに登録されていない場合に、部品サプライヤに問い合わせて、当該構成部品の情報を入手する仕組みが必要になる。
【０００５】
本発明は上記事情に鑑みてなされたものであり、本発明の目的は、情報を効率よく入手することのできる技術を提供することにある。
【課題を解決するための手段】
【０００６】
上記課題を解決するために、本発明は、製品メーカ等の端末から受信した調査リクエストに対して、調査対象製品の構成部品に関する情報が自身に登録されているか否かを調べる。登録されている場合は、当該登録されている情報を、当該調査リクエストに対する調査報告情報として、調査リクエストの送信元に送信する。一方、登録されていない場合は、調査リクエストをバッチで処理するために、当該調査リクエストを蓄積する。そして、蓄積した調査リクエストを製品の構成部品毎に分類・集約し、構成部品毎にバッチ調査リクエストを生成する。それから、各バッチ調査リクエストを対象構成部品の部品ベンダ（サプライヤ）の端末に送信し、当該構成部品に関する情報を入手する。次に、調査リクエストで指定されている製品の各構成部品に関する情報を、当該調査リクエストに対する調査報告情報として、当該調査リクエストの送信元に送信する。
【０００７】
例えば、本発明の情報収集装置は、調査対象製品の指定を含む調査リクエストに従い、当該製品に関する情報を出力する情報収集装置であって、
製品のＢＯＭデータを記憶するＢＯＭデータ記憶手段と、
部品に関する情報を記憶する部品情報記憶手段と、
部品に関する情報を入手するためのバッチ調査リクエストを記憶するバッチ調査リクエスト記憶手段と、
調査リクエストで指定されている製品に関する情報を当該調査リクエストに対する調査報告情報として記憶する調査報告情報記憶手段と、
入力された調査リクエストを処理する調査リクエスト処理手段と、
前記バッチ調査リクエスト記憶手段に記憶されているバッチ調査リクエストを処理するバッチ調査リクエスト処理手段と、を有し、
前記調査リクエスト処理手段は、
前記ＢＯＭデータ記憶手段に記憶されているＢＯＭデータを用いて、前記入力された調査リクエストで指定されている製品を構成部品に部品展開する手段と、
部品展開された各構成部品について、前記部品情報記憶手段に当該構成部品に関する情報が記憶されているか否かを調べ、記憶されている場合は当該構成部品に関する情報を、前記調査報告情報記憶手段に記憶されている、前記入力された調査リクエストに対する調査報告情報に含める手段と、
部品展開された各構成部品のうち、前記部品情報記憶手段に構成部品に関する情報が記憶されていない構成部品各々について、当該構成部品の指定を含むバッチ調査リクエストが前記バッチ調査リクエスト記憶手段に登録されているか否かを調べ、登録されていない場合は当該バッチ調査リクエストを前記入力された調査リクエストに対応付けて前記バッチ調査リクエスト記憶手段に登録し、一方、登録されている場合は当該バッチ調査リクエストに前記入力された調査リクエストを新たに対応付ける手段と、
前記入力された調査リクエストについて、部品展開された各構成部品に関する情報が、前記調査報告情報記憶手段に記憶されている、当該調査リクエストに対する調査報告情報に含まれている場合に、当該調査報告情報を出力する手段と、を有し、
前記バッチ調査リクエスト処理手段は、
前記バッチ調査リクエスト記憶手段に記憶されているバッチ調査リクエストを、部品に関する情報の問合せ先に送信して、当該問合せ先から当該バッチ調査リクエストで指定されている構成部品に関する情報を入手する手段と、
入手した構成部品に関する情報を、前記調査報告情報記憶手段に記憶されている、当該バッチ調査リクエストに対応付けられている調査リクエスト各々に対する調査報告情報に含める手段と、
当該バッチ調査リクエストに対応付けられている調査リクエスト各々について、前記ＢＯＭデータ記憶手段に記憶されているＢＯＭデータを用いて当該調査リクエストで指定されている製品から部品展開された各構成部品に関する情報が、前記調査報告情報記憶手段に記憶されている、当該調査リクエストに対する調査報告情報に含まれている場合に、当該調査報告情報を出力する手段と、を有する。
【発明の効果】
【０００８】
本発明によれば、各製品に対する調査リクエストを構成部品毎に分類・集約し、各構成部品に対するバッチ調査リクエストを生成して部品サプライヤに送信し、各構成部品の調査報告情報を入手する。したがって、部品サプライヤから調査報告情報を効率よく入手することができる。
【発明を実施するための最良の形態】
【０００９】
以下に、本発明の実施の形態を説明する。
【００１０】
図１は、本発明の一実施形態が適用された化学物質情報収集システムの概略図である。
【００１１】
本実施形態の化学物質情報収集システムは、所望の製品について、当該製品が化学物質に関する所望の規制（ＥＬＶのような国等が定める規制やメーカ等が自主的に定める規制）を満たしているか否かを判断するための判断材料である、規制対象化学物質の含有量に関する情報を収集し提供する。図示するように、本実施形態の化学物質情報収集システムは、情報収集装置１と、少なくとも１つのベンダ装置２と、少なくとも１つの顧客端末３とが、インターネット等のネットワーク４を介して互いに接続されて構成されている。
【００１２】
顧客端末３は、例えば製品メーカのネットワーク端末であり、情報収集装置１に対して、調べたい製品の識別情報（ベンダ番号）および規制の識別情報（規制名称）を含む調査リクエストを生成し、情報収集装置１に送信する。そして、情報収集装置１から当該製品の規制対象化学物質の含有量に関する調査報告書情報を受信し出力する。顧客端末３には、Ｗｅｂブラウザ等の既存のネットワーク端末を利用できるので、その詳細な説明を省略する。
【００１３】
ベンダ装置２には、部品ベンダ（サプライヤ）が提供する各部品の化学物質に関する情報が登録されている。ベンダ装置２は、情報収集装置１から部品の識別情報（ベンダ番号）および規制の識別情報（規制名称）を含むバッチ調査リクエストを受信すると、当該部品の化学物質に関する情報のうち、当該規制の規制対象化学物質に関する情報を抽出し、情報収集装置１に送信する。
【００１４】
図２はベンダ装置２の概略図である。図示するように、本実施形態のベンダ装置２は、ネットワーク４に接続するためのネットワークＩＦ部２１と、バッチ調査リクエスト処理部２２と、化学物質情報記憶部２３と、入力装置および表示装置等の情報の入出力を行う入出力部２４と、を有する。
【００１５】
化学物質情報記憶部２３には、部品ベンダが提供する部品の化学物質含有量の情報が記憶されている。図３は化学物質情報記憶部２３の登録内容例を説明するための図である。図示するように、化学物質情報記憶部２３には、部品ベンダが提供する各部品について、化学物質毎にレコード２３００が登録されている。レコード２３００は、部品ベンダが付与する部品の識別情報であるベンダ番号を登録するフィールド２３０１と、部品種別を登録するフィールド２３０２と、各部品ベンダに共通の識別情報である部品番号を登録するフィールド２３０３と、化学物質情報を登録するフィールド２３０４と、を有する。フィールド２３０４は、さらに、化学物質のＣＡＳ番号を登録するサブフィールド２３０５と、当該化学物質の名称を登録するサブフィールド２３０６と、当該化学物質の含有量を登録するサブフィールド２３０７と、当該化学物質を規制対象とする規制の識別情報（名称）を少なくとも１つ登録するサブフィールド２３０８と、を有する。
【００１６】
バッチ調査リクエスト処理部２２は、ネットワークＩＦ部２１を介して情報収集装置１から受信したバッチ調査リクエストを処理する。当該バッチ調査リクエストで指定されている部品について、当該バッチ調査リクエストで指定されている規制の規制対象化学物質を、化学物質情報記憶部２３から検索し、その検索結果を情報収集装置向け調査報告情報として情報収集装置１に送信する。
【００１７】
図４はベンダ装置２の動作フローを説明するための図である。
【００１８】
バッチ調査リクエスト処理部２２は、ネットワークＩＦ部２１を介して情報収集装置１からバッチ調査リクエストを受信すると（Ｓ１００１）、当該バッチ調査リクエストで指定されているベンダ番号がフィールド２３０１に登録されているレコード２３００を、化学物質情報記憶部２３から検索する（Ｓ１００２）。次に、当該バッチ調査リクエストで指定されている規制の識別情報（名称）がサブフィールド２３０８に登録されているレコード２３００を、Ｓ１００２で検索したレコード２３００の中からさらに検索する（Ｓ１００３）。そして、さらに検索したレコード２３００各々のフィールド２３０１〜２３０３に登録されている各レコード２３００に共通のベンダ番号、部品種別、部品番号と、フィールド２３０４に登録されている化学物質情報（ＣＡＳ番号、名称、含量、該当規制）と、を含む情報収集装置向け調査報告情報を生成し、当該情報収集装置向け調査報告情報を、ネットワークＩＦ部２１を介して情報収集装置１に送信する（Ｓ１００４）。
【００１９】
また、バッチ調査リクエスト処理部２２は、ネットワークＩＦ部２１を介して情報収集装置１から検査エラーメッセージを受信すると（Ｓ１１０１）、入出力部２４から該メッセージを出力して、ベンダ装置２にユーザ（部品ベンダ）に、化学物質情報記憶部２３に記憶された情報の確認を促す（Ｓ１１０２）。
【００２０】
なお、上記構成のベンダ装置２は、例えば図５に示すような、ＣＰＵ９０１と、メモリ９０２と、ＨＤＤ等の外部記憶装置９０３と、ＣＤ-ＲＯＭやＤＶＤ-ＲＯＭやＩＣカードなどの記憶媒体９０４からデータを読み取る読取装置９０５と、キーボードやマウスなどの入力装置９０６と、モニタやプリンタなどの出力装置９０７と、ネットワーク４に接続するためのＮＩＣ９０８と、これらの各装置を接続するバス９０９と、を備えた一般的なコンピュータシステムにおいて、ＣＰＵ９０１がメモリ９０２上にロードされたプログラムを実行することで実現できる。このプログラムは、読取装置９０５を介して記憶媒体９０４から、あるいは、ＮＩＣ９０８を介してネットワー４クから、外部記憶装置９０３にダウンロードされ、それから、メモリ９０２上にロードされてＣＰＵ９０１により実行されるようにしてもよい。あるいは、外部記憶装置９０３を経由せずに、メモリ９０２上に直接ロードされ、ＣＰＵ９０１により実行されるようにしてもよい。なお、この場合において、化学物質情報記憶部２０には、メモリ９０２や外部記憶装置９０３や記憶媒体９０４が利用される。また、ネットワークＩＦ部２１には、ＮＩＣ９０８が該当する。
【００２１】
図１に戻って説明を続ける。情報収集装置１は、部品ベンダが提供する少なくとも一部の部品の化学物質に関する情報が登録されている。情報収集装置１は、顧客端末３から製品の識別情報（ベンダ番号）および規制の識別情報（規制名称）を含む調査リクエストを受信すると、当該製品の各構成部品の化学物質に関する情報のうち、当該規制の規制対象化学物質に関する情報を抽出し、顧客端末３に送信する。いずれかの構成部品の化学物質に関する情報が登録されていない場合は、当該構成部品のベンダ番号および当該規制の識別情報（規制名称）を含むバッチ調査リクエストを生成して、当該構成部品の部品ベンダが所有するベンダ装置２に送信し、当該ベンダ装置２から当該構成部品の化学物質に関する情報を入手する。
【００２２】
図６は情報収集装置１の概略図である。図示するように、本実施形態の情報収集装置１は、ネットワーク４に接続するためのネットワークＩＦ部１１と、演算部１２と、記憶部１３と、を有する。
【００２３】
記憶部１３は、規制情報記憶部１３１と、部品ＢＯＭ記憶部１３２と、部品ベンダ情報記憶部１３３と、化学物質情報記憶部１３４と、調査リクエスト記憶部１３５と、バッチ調査リクエスト記憶部１３６と、調査報告情報記憶部１３７と、を有する。
【００２４】
規制情報記憶部１３１には、ＥＬＶのような国等が定める規制や、メーカ等が自主的に定める規制などの様々な化学物質に関する規制情報が登録されている。図７は規制情報記憶部１３１の登録内容例を説明するための図である。図示するように、規制情報記憶部１３１には、化学物質の規制毎にレコード１３１０が登録されている。レコード１３１０は、規制の名称（識別情報）を登録するフィールド１３１１と、規制の適用地域（国、広域）を登録するフィールド１３１２と、規制の種別（法律か自主規制か等）を登録するフィールド１３１３と、規制の管理レベルを登録するフィールド１３１４と、規制情報を登録するフィールド１３１５と、を有する。
【００２５】
規制情報を登録するフィールド１３１５は、ＣＡＳ番号および物質名（あるいは物質群名）により特定される予め定められた複数の化学物質各々について、それがフィールド１３１１〜１３１３に登録されている情報により特定される規制の規制対象化学物質に該当するか否かを登録するためのサブフィールド１３１５１〜１３１５５が登録されている。ここでは、サブフィールド１３１５１〜１３１５５に、規制対象として「禁止」および「削減」のいずれかが登録され、規制対象外として「対象外」が登録される。
【００２６】
フィールド１３１４に登録される管理レベルは、規制対象の化学物質が多いほどそのレベルが高くなる（数字が小さくなる）ように設定されている。なお、本実施形態では、ある管理レベルに対応する規制は、その１つ下の管理レベルに対応する規制の全ての規制対象化学物質を規制対象化学物質とするものとする。
【００２７】
部品ＢＯＭ記憶部１３２には、製品メーカや部品ベンダが提供する各製品（部品）のＢＯＭデータが登録されている。図８は部品ＢＯＭ記憶部１３２の登録内容例を説明するための図である。図示するように、部品ＢＯＭ記憶部１３２には、製品メーカや部品ベンダが提供する製品（部品）毎にレコード１３２０が登録されている。レコード１３２０は、対象製品（部品）の製品メーカ（部品ベンダ）が付与する製品（部品）の識別情報である親部品ベンダ番号を登録するフィールド１３２１と、親部品ベンダ番号により特定される製品（部品）に対して、各製品メーカ（部品ベンダ）に共通の識別情報である親部品番号を登録するフィールド１３２２と、親部品ベンダ番号により特定される製品（部品）を構成する１つの構成部品の部品ベンダが当該部品に付与する部品の識別情報である子部品ベンダ番号を登録するフィールド１３２３と、子部品ベンダ番号により特定される部品に対して、各部品ベンダに共通の識別情報である子部品番号を登録するフィールド１３２４と、親部品ベンダ番号により特定される製品（部品）の、子部品ベンダ番号により特定される部品の使用数量（員数または重量）を登録するフィールド１３２５と、を有する。
【００２８】
部品ベンダ情報記憶部１３３は、各部品の部品ベンダの情報が登録されている。図９は部品ベンダ情報記憶部１３３の登録内容例を説明するための図である。図示するように、部品ベンダ情報記憶部１３３には、部品毎にレコード１３３０が登録されている。レコード１３３０は、部品ベンダが付与する部品の識別情報であるベンダ番号を登録するフィールド１３３１と、当該部品ベンダの情報（名称、住所等）を登録するフィールド１３３２と、当該部品の化学物質情報を入手可能なベンダ装置２のアドレス（例えばメールアドレス）を登録するフィールド１３３３と、を有する。
【００２９】
化学物質情報記憶部１３４には、部品ベンダが提供する部品の化学物質含有量の情報が記憶されている。図１０は化学物質情報記憶部１３４の登録内容例を説明するための図である。図示するように、化学物質情報記憶部１３４には、部品ベンダが提供する各部品について、化学物質毎にレコード１３４０が登録されている。レコード１３４０は、部品ベンダが付与する部品の識別情報であるベンダ番号を登録するフィールド１３４１と、部品種別を登録するフィールド１３４２と、各部品ベンダに共通の識別情報である部品番号を登録するフィールド１３４３と、化学物質情報を登録するフィールド１３４４と、を有する。フィールド１３４４は、さらに、化学物質のＣＡＳ番号を登録するサブフィールド１３４５と、当該化学物質の名称を登録するサブフィールド１３４６と、当該化学物質の含有量を登録するサブフィールド１３４７と、当該化学物質を規制対象とする規制の管理レベルを登録するサブフィールド１３４８と、を有する。管理レベルは、図７に示すフィールド１３１４に登録される管理レベルと同じものである。
【００３０】
調査リクエスト記憶部１３５には、顧客端末３が送信した調査リクエストの情報が登録される。図１１は調査リクエスト記憶部１３５の登録内容例を説明するための図である。図示するように、調査リクエスト記憶部１３５には調査リクエスト毎にレコード１３５０が登録される。レコード１３５０は、調査リクエストの識別情報であるリクエストＩＤを登録するフィールド１３５１と、調査リクエストを送信した顧客の顧客情報（名称、住所等）を登録するフィールド１３５２と、調査リクエストの送信元である顧客端末３のアドレス（例えばメールアドレス）を登録するフィールド１３５３と、調査対象製品のベンダ番号を登録するフィールド１３５４と、調査対象規制の識別情報（名称）を登録するフィールド１３５５と、調査結果を報告済みか否かを示す処理済みフラグを登録するフィールド１３５６と、を有する。
【００３１】
バッチ調査リクエスト記憶部１３６は、ベンダ装置２に送信するバッチ調査リクエストの情報が登録される。図１２はバッチ調査リクエスト記憶部１３６の登録内容例を説明するための図である。図示するように、バッチ調査リクエスト記憶部１３６にはバッチ調査リクエスト毎にレコード１３６０が登録される。レコード１３６０は、バッチ調査リクエストの識別情報であるバッチリクエストＩＤを登録するフィールド１３６１と、バッチ調査リクエストの送信先となるベンダ装置２のネットワークアドレスを登録するフィールド１３６２と、調査対象製品のベンダ番号を登録するフィールド１３６３と、調査対象規制の識別情報（名称）を登録するフィールド１３６４と、調査対象製品に対する調査リクエストのリクエストＩＤを登録するフィールド１３６５と、調査結果を入手済みか否かを示す処理済みフラグを登録するフィールド１３６６と、レコード１３６０の作成日時を登録するフィールド１３６７と、を有する。
【００３２】
調査報告情報記憶部１３７は、顧客端末３が送信した調査リクエストに対する調査結果を示す調査報告情報が登録される。図１３は調査報告情報記憶部１３７の登録内容例を説明するための図である。図示するように、調査報告情報記憶部１３７には、調査報告毎にテーブル１３７０が登録される。テーブル１３７０は、調査リクエストのリクエストＩＤを登録するフィールド１３７１と、調査対象製品のベンダ番号を登録するフィールド１３７２と、調査対象規制の識別情報（名称）を登録するフィールド１３７３と、調査対象製品を構成する部品毎に設けられた、当該部品に含まれている化学物質情報を登録するフィールド１３７５と、テーブル１３７０が作成完了しているか否かを示す作成完了フラグを登録するフィールド１３７６と、を有する。フィールド１３７５は、調査対象規制の規制対象化学物質毎にサブフィールド１３７４を有する。サブフィールド１３７４には、ＣＡＳ番号、化学物質の名称、含量および情報提供料金が登録される。
【００３３】
図６に戻って説明を続ける。演算部１２は、調査リクエスト処理部１２１と、バッチ調査リクエスト処理部１２２と、課金処理部１２３と、を有する。
【００３４】
調査リクエスト処理部１２１は、ネットワークＩＦ部１１を介して顧客端末３から受信した調査リクエストを処理する。当該調査リクエストを調査リクエスト記憶部１３５に記憶すると共に、当該調査リクエストで指定されている製品について、当該調査リクエストで指定されている規制の規制対象化学物質を、化学物質情報記憶部１３４から検索し、その検索結果に基づいて顧客端末向け調査報告情報を作成し、調査報告情報記憶部１３７に記憶する。また、調査リクエスト処理部１２１は、当該調査リクエストで指定されている製品を構成するいずれかの部品について、化学物質情報記憶部１３４に化学物質情報が記憶されていない場合、当該部品の化学物質情報を部品ベンダから入手するためのバッチ調査リクエストを作成する。当該バッチ調査リクエストが作成済みである場合は、当該バッチ調査リクエストのレコード（図１２参照）に処理対象の調査リクエストのリクエストＩＤを登録する。
【００３５】
図１４および図１５は調査リクエスト処理部１２１の動作フローを説明するための図である。
【００３６】
まず、調査リクエスト処理部１２１は、ネットワークＩＦ部１１を介して顧客端末３から調査リクエストを受信すると（Ｓ２００１）、調査リクエスト記憶部１３５にレコード１３５０を追加すると共に、ユニークなリクエストＩＤを生成し、該レコード１３５０のフィールド１３５１に生成したリクエストＩＤを、フィールド１３５２に該調査リクエストに含まれている顧客情報を、フィールド１３５３に該調査リクエストの送信元である顧客端末３のアドレスを、フィールド１３５４に該調査リクエストに含まれている調査対象製品のベンダ番号を、フィールド１３５４に該調査リクエストに含まれている調査対象規制の名称（識別情報）を、そして、フィールド１３５６に調査結果が報告済みでないことを示す「未」を登録する（Ｓ２００２）。
【００３７】
次に、調査リクエスト処理部１２１は、調査報告情報記憶部１３７に新たなテーブル１３７０を追加し、該テーブル１３７０のフィールド１３７１に該調査リクエストのリクエストＩＤを、フィールド１３７２に該調査リクエストに含まれている調査対象製品のベンダ番号を、フィールド１３７３に該調査リクエストに含まれている調査対象規制の名称（識別情報）を、そして、フィールド１３７６に、テーブル１３７０が作成完了していないことを示す「未」を登録する（Ｓ２００３）。
【００３８】
次に、調査リクエスト処理部１２１は、部品ＢＯＭ記憶部１３２に記憶されているＢＯＭデータを使って、該調査リクエストに含まれている調査対象製品を子部品に部品展開する（Ｓ２００４）。具体的には、該調査リクエストに含まれている調査対象製品のベンダ番号がフィールド１３２１に登録されているレコード１３２０を部品ＢＯＭ記憶部１３２から全て検索する。そして、検索した各レコード１３２０のフィールド１３２３に登録されているベンダ番号を持つ部品を調査対象製品の子部品とする。
【００３９】
次に、調査リクエスト処理部１２１は、Ｓ２００４で調査対象製品から部品展開した子部品のうち未注目の子部品に注目し、これを注目子部品とする（Ｓ２００５）。
【００４０】
調査リクエスト処理部１２１は、化学物質情報記憶部１３４を参照し、注目子部品のベンダ番号がフィールド１３４１に登録されているレコード１３４０が登録されているか否かを調べる。登録されている場合は、該レコード１３４０のサブフィールド１３４８に登録されている管理レベルが該調査リクエストの調査対象規制の管理レベル以上であるか否かをさらに調べる（Ｓ２００６）。注目子部品のベンダ番号がフィールド１３４１に登録されているレコード１３４０が化学物質情報記憶部１３４に登録されていない場合、あるいは、登録されているが該レコード１３４０のサブフィールド１３４８に登録されている管理レベルが該調査リクエストの調査対象規制の管理レベル以上でない場合（Ｓ２００６でＮＯ）、Ｓ２１０１に進む。一方、注目子部品のベンダ番号がフィールド１３４１に登録されているレコード１３４０が化学物質情報記憶部１３４に登録されており、且つ、該レコード１３４０のサブフィールド１３４８に登録されている管理レベルが該調査リクエストの調査対象規制の管理レベル以上である場合（Ｓ２００６でＹＥＳ）、Ｓ２００７に進む。
【００４１】
Ｓ２００７において、調査リクエスト処理部１２１は、Ｓ２００３で新たに追加したテーブル１３７０にフィールド１３７５を追加して該フィールド１３７５に注目子部品のベンダ番号を登録すると共に、注目子部品のベンダ番号がフィールド１３４１に登録されているレコード１３４０を化学物質情報記憶部１３４から全て読出し、各レコード１３４０に対応するサブフィールド１３７４をフィールド１３７５に追加する。そして、各サブフィールド１３７４に、対応するレコード１３４０のフィールド１３４４に登録されている化学物質情報（ＣＡＳ番号、名称、含量）と、所定の料金情報とを登録する。それから、Ｓ２００８に進む。
【００４２】
一方、Ｓ２１０１において、調査リクエスト処理部１２１は、バッチ調査リクエスト記憶部１３６を参照し、フィールド１３６３に注目子部品のベンダ番号が登録されているレコード１３６０を検索する。そのようなレコード１３６０がバッチ調査リクエスト記憶部１３６に登録されているならば（Ｓ２１０１でＹＥＳ）、該レコード１３６０のフィールド１３６５に該調査リクエストのリクエストＩＤを追加すると共に、フィールド１３６４に登録されている調査対象規制の名称（識別情報）と該調査リクエストに含まれている調査対象規制の名称（識別情報）とを比較し、該調査リクエストに含まれている調査対象規制の方が管理レベルが高い場合、フィールド１３６４の登録内容を該調査リクエストに含まれている調査対象規制の名称（識別情報）に更新する（Ｓ２１０２）。それから、Ｓ２００８に進む。一方、フィールド１３６３に注目子部品のベンダ番号が登録されているレコード１３６０がバッチ調査リクエスト記憶部１３６に登録されていない場合（Ｓ２１０１でＮＯ）、バッチ調査リクエスト記憶部１３６に新たなレコード１３６０を追加すると共に、ユニークなバッチリクエストＩＤを生成する。また、部品ベンダ情報記憶部１３３を参照して注目子部品のベンダ番号がフィールド１３３１に登録されているレコード１３３０を検索し、該レコード１３３０のフィールド１３３３に登録されているベンダ装置アドレスを入手する。それから、調査リクエスト処理部１２１は、新たに追加したレコード１３６０のフィールド１３６１に、該バッチリクエストＩＤを、フィールド１３５２に該ベンダ装置アドレスを、フィールド１３６３に注目子部品のベンダ番号を、フィールド１３６４に該調査リクエストに含まれている調査対象規制の識別情報（名称）を、フィールド１３６５に該調査リクエストのリクエストＩＤを、フィールド１３６６に調査結果が入手済みでないことを示す「未」を、そして、フィールド１３６７に現在日時を登録する（Ｓ２１０３）。それから、Ｓ２００８に進む。
【００４３】
Ｓ２００８において、調査リクエスト処理部１２１は、Ｓ２００４で調査対象製品から部品展開した子部品のうち未注目の子部品がある否かを調べる。ある場合（Ｓ２００８でＹＥＳ）はＳ２００５に戻る。ない場合（Ｓ２００８でＮＯ）は、Ｓ２００３で新たに追加したテーブル１３７０に、Ｓ２００４で調査対象製品から部品展開した全ての子部品についてフィールド１３７５が設けられているか否かを調べる（Ｓ２００９）。設けられていない場合（Ｓ２００９でＮＯ）は、このフローを終了する。一方、設けられている場合（Ｓ２００９でＹＥＳ）は、該テーブル１３７０のフィールド１３７６の作成完了フラグを「未」から「済」に変更する（Ｓ２０１０）。
【００４４】
それから、調査リクエスト処理部１２１は、Ｓ２００３で新たに追加したテーブル１３７０の登録内容を、調査リクエストに対する結果報告（顧客端末向け調査情報報告）として、該調査リクエストの送信元である顧客端末３に送信する（Ｓ２０１１）。その後、このフローを終了する。
【００４５】
図６に戻って説明を続ける。
【００４６】
バッチ調査リクエスト処理部１２２は、バッチ調査リクエスト記憶部１３６に登録されているバッチ調査リクエストを処理する。例えば定期的に、バッチ調査リクエスト記憶部１３６に登録されてから所定時間を経過したバッチ調査リクエストを特定し、当該バッチ調査リクエストで指定されている部品について、当該バッチ調査リクエストで指定されている規制の規制対象化学物質を、当該バッチ調査リクエストで指定されているベンダ装置アドレスに問合せる。そして、当該ベンダ装置アドレスを持つベンダ装置２から情報収集装置向け調査報告情報を入手し、化学物質情報記憶部１３４に反映させる。また、顧客端末向け調査報告情報を作成し、調査報告情報記憶部１３７に記憶する。
【００４７】
図１６はバッチ調査リクエスト処理部１２２の動作フローを説明するための図である。このフローは、所定インターバル時間の経過、所定時刻の到来およびユーザからの指示受付等の所定のイベントが発生したときに開始される。
【００４８】
まず、バッチ調査リクエスト処理部１２２は、バッチ調査リクエスト記憶部１３６を参照し、フィールド１３６６の処理済みフラグが「未」であって、且つ、フィールド１３６７に登録されている作成日時が所定時間（例えば３日）を超えているレコード１３６０（対象レコード１３６０と呼ぶ）があるか否かを調べる（Ｓ３００１）。ある場合（Ｓ３００１でＹＥＳ）はＳ３００２に進み、ない場合（Ｓ３００１でＮＯ）はこのフローを終了する。
【００４９】
Ｓ３００２において、バッチ調査リクエスト処理部１２２は、対象レコード１３６０のフィールド１３６３、１３６４に登録されているベンダ番号、規制名称を調査対象部品のベンダ番号、調査対象規制の規制名称とするバッチ調査リクエストを生成し、該バッチ調査リクエストを、ネットワークＩＦ部１１を介して、該レコード１３６０のフィールド１３６２に登録されているベンダ装置アドレスにより特定されるベンダ装置２へ送信する。そして、当該ベンダ装置２から該バッチ調査リクエストに対する収集装置向け調査報告情報を受信する。
【００５０】
さて、バッチ調査リクエスト処理部１２２は、ベンダ装置２より収集装置向け調査報告情報を受信したならば、後述する報告情報検査処理を実行する（Ｓ３００３）。そして、該報告情報検査処理の結果、該収集装置向け調査報告情報に示された化学物質情報の確からしさを確認できた場合にのみ、Ｓ３００４に進む。
【００５１】
Ｓ３００４において、バッチ調査リクエスト処理部１２２は、対象レコード１３６０のフィールド１３６５を参照し、該フィールド１３６５に登録されているリクエストＩＤの中から未注目のリクエストＩＤに注目する。そして、調査報告情報記憶部１３７から注目リクエストＩＤがフィールド１３７１に登録されているテーブル１３７０を特定する（Ｓ３００５）。それから、バッチ調査リクエスト処理部１２２は、特定したテーブル１３７０に、対象レコード１３６０のフィールド１３６３に登録されているベンダ番号に対応するフィールド１３７５を追加する。さらに、追加したフィールド１３７５に、該収集装置向け調査報告情報に示された化学物質情報毎にサブフィールド１３７４を設け、各サブフィールド１３７４に、該収集装置向け調査報告情報に示された対応する化学物質情報（ＣＡＳ番号、名称、含量）を登録する。また、各サブフィールド１３７４に、後述する報告情報検査処理（Ｓ３００３）によって算出した料金を登録する（Ｓ３００６）。
【００５２】
次に、バッチ調査リクエスト処理部１２２は、調査リクエスト記憶部１３５を参照し、注目リクエストＩＤがフィールド１３５１に登録されているレコード１３５０を特定する。さらに、特定したレコード１３５０のフィールド１３５４に登録されている調査対象製品のベンダ番号を特定する（Ｓ３００７）。
【００５３】
次に、バッチ調査リクエスト処理部１２２は、部品ＢＯＭ記憶部１３２に記憶されているＢＯＭデータを使って、上述のＳ２００４と同様に要領により、特定した調査対象製品を子部品に部品展開する（Ｓ３００８）。そして、部品展開された全ての部品のそれぞれについて、当該部品に対応するフィールド１３７５が該特定したテーブル１３７０に登録されているか否かを調べる（Ｓ３００９）。登録されている場合（Ｓ３００９でＹＥＳ）は、該特定したテーブル１３７０のフィールド１３７６に登録されている作成完了フラグを「未」から「済」に変更する（Ｓ３０１０）。それから、該特定したテーブル１３７０の登録内容を、注目リクエストＩＤを持つ調査リクエストに対する結果報告（顧客端末向け調査情報報告）として、該調査リクエストの送信元である顧客端末３に送信する（Ｓ３０１１）。その後、Ｓ３０１２に進む。一方、登録されていない場合（Ｓ３００９でＮＯ）は、直ちにＳ３０１２に進む。
【００５４】
Ｓ３０１２において、バッチ調査リクエスト処理部１２２は、対象レコード１３６０のフィールド１３６５に登録されているリクエストＩＤに未注目のリクエストＩＤがあるか否かを調べる。ある場合（Ｓ３０１２でＹＥＳ）はＳ３００４に戻る。一方、そうでない場合（Ｓ３０１２でＮＯ）はＳ３０１３に進む。
【００５５】
Ｓ３０１３おいにおいて、バッチ調査リクエスト処理部１２２は、対象レコード１３６０のフィールド１３６６に登録されている処理済みフラグを「未」から「済」に変更する。また、バッチ調査リクエスト処理部１２２は、該収集装置向け調査報告情報に示されている化学物質情報毎に、化学物質情報記憶部１３４に新たなレコード１３４０を追加する。そして、追加したレコード１３４０のフィールド１３４４に該収集装置向け調査報告情報に示されている対応の化学物質情報を、フィールド１３４１に該収集装置向け調査報告情報に示されている調査対象部品のベンダ番号を、そして、フィールド１３４２、１３４３に、該収集装置向け調査報告情報に示されている調査対象部品の部品種別、部品番号を登録する（Ｓ３０１３）。その後、このフローを終了する。
【００５６】
図１７は図１６の報告情報検査処理（Ｓ３００３）を説明するための図である。
【００５７】
バッチ調査リクエスト処理部１２２は、収集装置向け調査報告情報に示されている部品種別、部品番号がフィールド１３４２、１３４３に登録されているレコード１３４０を全て検索する（Ｓ３１０１）。そして、検索したレコード１３４０をサブフィールド１３４５に登録されているＣＡＳ番号毎に分類し、ＣＡＳ番号毎に、サブフィールド１３４７に登録されている含量の平均値を計算する（Ｓ３１０２）。
【００５８】
次に、バッチ調査リクエスト処理部１２２は、ＣＡＳ番号毎に、Ｓ３１０２で計算した当該ＣＡＳ番号の化学物質の含量平均値と、該収集装置向け調査報告情報に示されている当該ＣＡＳ番号の化学物質の含量との差分を計算する（Ｓ３１０３）。そして、所定の基準値を超える差分を持つＣＡＳ番号があるか否かを調べる（Ｓ３１０４）。ここで、所定の基準値は、対象とするＣＡＳ番号の化学物質の含量平均値に応じて定められる。例えば含量平均値の１０〜３０％を上記所定の基準値に設定する。
【００５９】
所定の基準値を超える差分を持つＣＡＳ番号がない場合（Ｓ３１０４でＮＯ）は、バッチ調査リクエスト処理部１２２は、課金処理部１２３に料金計算を依頼する。これを受けて、課金処理部１２３は、バッチ調査リクエスト処理部１２２から図１６のＳ３００１で検索した対象レコード１３６０のフィールド１３６５に登録されているリクエストＩＤの数を入手する。そして、予め定められた金額（一化学物質当たりの情報提供料金）を、該入手したリクエストＩＤの数で割算して、一調査リクエスト当たりの一化学物質当たりの料金を計算する（Ｓ３１０５）。そして、計算した料金をバッチ調査リクエスト処理部１２２に通知する。これを受けて、バッチ調査リクエスト処理部１２２は、検査結果「ＯＫ」として、図１６のＳ３００４に進む（Ｓ３１０６）。
【００６０】
一方、所定の基準値を超える差分を持つＣＡＳ番号がある場合（Ｓ３１０４でＹＥＳ）は、該収集装置向け調査報告情報の送信元に検査エラーメッセージを送信する（Ｓ３１０７）。また、検査結果「ＮＧ」として、図１６のフローを終了させる（Ｓ３１０８）。
【００６１】
なお、上記構成の情報収集装置１も、ベンダ装置２と同様に、例えば図５に示すようなコンピュータシステムにおいて、ＣＰＵ９０１がメモリ９０２上にロードされたプログラムを実行することで実現できる。このプログラムは、読取装置９０５を介して記憶媒体９０４から、あるいは、ＮＩＣ９０８を介してネットワー４クから、外部記憶装置９０３にダウンロードされ、それから、メモリ９０２上にロードされてＣＰＵ９０１により実行されるようにしてもよい。あるいは、外部記憶装置９０３を経由せずに、メモリ９０２上に直接ロードされ、ＣＰＵ９０１により実行されるようにしてもよい。なお、この場合において、記憶部１３には、メモリ９０２や外部記憶装置９０３や記憶媒体９０４が利用される。また、ネットワークＩＦ部１１には、ＮＩＣ９０８が該当する。
【００６２】
以上、本発明の一実施形態について説明した。
【００６３】
本実施形態において、情報収集装置１は、顧客端末３が送信した各製品に対する調査リクエストを構成部品毎に分類・集約し、各構成部品に対するバッチ調査リクエストを生成してベンダ装置２に送信し、各構成部品の調査報告情報（収集装置向け調査報告情報）を入手する。したがって、調査リクエスト毎に、ベンダ装置２から構成部品の調査報告情報を入手する場合に比べて、調査報告情報の重複依頼を防止することができ、したがって、効率よく調査報告情報を入手することができる。
【００６４】
また、本実施形態において、情報収集装置１は、ベンダ装置２から入手した構成部品の調査報告情報が示す化学物質の含量と、他のベンダ装置２から入手済みの当該構成部品と同種の部品の化学物質の含量とを比較して、当該調査報告情報が示す化学物質の含量の確からしさを確認し、誤りがあると推定される場合はエラーメッセージをベンダ装置２に送信している。このようにすることで、ベンダ装置２の管理者（部品サプライヤ）に対して、化学物質情報の入力ミス等を知らせることができる。
【００６５】
また、本実施形態において、情報収集装置１は、ベンダ装置２から入手した構成部品の調査報告情報を顧客端末３に提供する際の料金を、当該構成部品に対する調査リクエストの数に応じて定めている。このようにすることで、化学物質情報を入手するために顧客端末３のユーザが支払う費用を低くすることができる。
【００６６】
なお、本発明は上記の実施形態に限定されるものではなく、その要旨の範囲内で数々の変形が可能である。例えば、上記の実施形態において、記憶部１３、２３は、必ずしも１つのコンピュータ装置に備えられているものである必要はなく、ネットワーク上に分散配置されているものであってもよい。同様に、演算部１２の各部１２１〜１２３も、複数のコンピュータ装置によって実現されるものであってもよい。
【００６７】
また、本実施形態において、バッチ調査リクエスト処理部１３６は、バッチ調査リクエスト記憶部１３６に記憶されているレコード１３６０のうち、フィールド１３６６の処理済みフラグが「未」であって、且つ、フィールド１３６７に登録されている作成日時が所定時間を超えているレコード１３６０を対象レコード１３６０としている。しかし、本発明はこれに限定されない。例えば、フィールド１３６６の処理済みフラグが「未」であって、且つ、フィールド１３６５に登録されているリクエストＩＤ数が所定数（例えば５）を超えているレコード１３６０を対象レコード１３６０としてもよい。
【００６８】
また、本実施形態では、製品（部品）の化学物質情報を収集する場合を例にとり説明したが、本発明はこれに限定されない。本発明は製品の組成成分等の様々な情報を収集する情報収集システムに広く適用できる。
【図面の簡単な説明】
【００６９】
【図１】図１は、本発明の一実施形態が適用された化学物質情報収集システムの概略図である。
【図２】図２はベンダ装置２の概略図である。
【図３】図３は化学物質情報記憶部２３の登録内容例を説明するための図である。
【図４】図４はベンダ装置２の動作フローを説明するための図である。
【図５】図５は情報収集装置１、ベンダ装置２のハードウエア構成例を示す図である。
【図６】図６は情報収集装置１の概略図である。
【図７】図７は規制情報記憶部１３１の登録内容例を説明するための図である。
【図８】図８は部品ＢＯＭ記憶部１３２の登録内容例を説明するための図である。
【図９】図９は部品ベンダ情報記憶部１３３の登録内容例を説明するための図である。
【図１０】図１０は化学物質情報記憶部１３４の登録内容例を説明する図である。
【図１１】図１１は調査リクエスト記憶部１３５の登録内容例を説明する図である。
【図１２】図１２はバッチ調査リクエスト記憶部１３６の登録内容例を説明する図である。
【図１３】図１３は調査報告情報記憶部１３７の登録内容例を説明する図である。
【図１４】図１４は調査リクエスト処理部１２１の動作フローを説明する図である。
【図１５】図１５は調査リクエスト処理部１２１の動作フローを説明する図である。
【図１６】図１６はバッチ調査リクエスト処理部１２２の動作フローを説明するための図である。
【図１７】図１７は図１６の報告情報検査処理（Ｓ３００３）を説明する図である。
【符号の説明】
【００７０】
１…情報収集装置、２…ベンダ装置、３…顧客端末、４…ネットワーク、１１…ネットワークＩＦ部、１２…演算部、１３…記憶部、２１…ネットワークＩＦ部、２２…バッチ調査リクエスト処理部、２３…化学物質情報記憶部、１２１…調査リクエスト処理部、１２２…バッチ調査リクエスト処理部、１２３…課金処理部、１３１…規制情報記憶部、１３２…部品ＢＯＭ記憶部、１３３…部品ベンダ情報記憶部、１３４…化学物質情報記憶部、１３５…調査リクエスト記憶部、１３６…バッチ調査リクエスト、１３７…調査報告情報記憶部
【図１】
2007108985.tif 000003
【図２】
2007108985.tif 000004
【図３】
2007108985.tif 000005
【図４】
2007108985.tif 000006
【図５】
2007108985.tif 000007
【図６】
2007108985.tif 000008
【図７】
2007108985.tif 000009
【図８】
2007108985.tif 000010
【図９】
2007108985.tif 000011
【図１０】
2007108985.tif 000012
【図１１】
2007108985.tif 000013
【図１２】
2007108985.tif 000014
【図１３】
2007108985.tif 000015
【図１４】
2007108985.tif 000016
【図１５】
2007108985.tif 000017
【図１６】
2007108985.tif 000018
【図１７】
2007108985.tif 000019